(57)【要約】【課題】外光の映りこみを実用上十分に防ぐことができる透過型スクリーンの提供。【解決手段】基板の一方の面には拡散部材が形成されてなり、基板の他方の面には位相差板、偏光分離板および偏光板が基板側からこの順に形成されてなることを特徴とする透過型スクリーン。前記偏光分離板および前記偏光板は、光源からの光の偏光面から９０度回転した偏光面を有する光を透過するように構成されている前記透過型スクリーン。前記偏光分離板および前記偏光板は、光源からの光の偏光面から９０度回転した偏光面を有する光を透過するように構成されている前記透過型スクリーン。【選択図】図１
2006162838.tif 000002
【特許請求の範囲】
【請求項１】
基板の一方の面には拡散部材が形成されてなり、基板の他方の面には位相差板、偏光分離板および偏光板が基板側からこの順に形成されてなることを特徴とする透過型スクリーン。
【請求項２】
前記偏光分離板および前記偏光板は、透過する光の偏光面が同じになるように構成されている請求項１に記載の透過型スクリーン。
【請求項３】
前記偏光分離板および前記偏光板は、光源からの光の偏光面から９０度回転した偏光面を有する光を透過するように構成されている請求項２に記載の透過型スクリーン。
【請求項４】
請求項１、２または３に記載の透過型スクリーンを有する背面投射型プロジェクションテレビ。
【発明の詳細な説明】
【技術分野】
【０００１】
本発明は、背面投射型（リア型）のプロジェクションテレビに使用される透過型スクリーンに関する。
【背景技術】
【０００２】
従来から背面投射型プロジェクションテレビには、ＣＲＴプロジェクタを具備するものが使用されてきた。近年、液晶を用いた光バルブ、ＬＣＤ（リキッド・クリスタル・ディスプレィ）素子・ＬＣＯＳ（リキッド・クリスタル・オン・シリコン）素子またはＤＭＤ（ディジタル・マイクロミラー・デバイス）などのマイクロデバイスのような、より高画質を提供するプロジェクタ（光源）を具備するプロジェクションテレビが実用化されている。
【０００３】
背面投射型プロジェクションテレビに用いられる透過型スクリーンは、フレネルレンズシート、レンチキュラーレンズシートおよび基板を基本的な構成要素としているものが多い。フレネルレンズシートはプロジェクタからの光を平行にする。レンチキュラレンズシートはフレネルレンズシートからの光を拡散させる。また、基板は透明なアクリル系樹脂によって形成され、拡散部材が基板に配合されている場合が多い。
【０００４】
一方、ブラックストライプと呼ばれる光吸収部がレンチキュラーレンズシートの観察者側に設けられたものもある。ブラックストライプを設けることによって、観察者側からスクリーンへ入射される外光の反射を吸収して、外光反射を低減させ、画像のコントラストの向上を図ることが可能となる。
【０００５】
しかし、従来の透過型スクリーンでは、ブラックストライプを設けたレンチキュラーレンズシートより観察者側に、拡散部材を配合した基板を配置しているために、外光の一部が該拡散部材によって反射し、その結果外光の映りこみを十分に防ぐことができず、コントラストの低下を招いていた。
【０００６】
そこで、プロジェクタからの光の偏光方向と同じ偏光方向を有する光を透過する偏光板をスクリーンに貼り付ける方法が提案されている（例えば、特許文献１または２参照。）。この方法では、外光の全部の光のうち、半分の光を偏光板が吸収することにより、コントラストの向上を図ることが可能となる。しかし、上記方法では、光源からの光（以下、光源光ともいう。）が拡散部材を透過することで、元の偏光面と直交する（すなわち９０度回転した）偏光面を有する光が発生するため、この光が偏光板に吸収されることによって十分な透過率が得られない点で問題がある。
【０００７】
そこで、透過型スクリーンの光源側に一方向の直線偏光のみを透過する偏光板を設け、さらに該偏光板とスクリーンとの間に、スクリーンで反射された反射光の位相を変える波長板を設けることが提案されている（例えば、特許文献３参照。）。しかし、上記方法では、映像を投射するスクリーンである拡散シートが観察者側に位置するために、拡散シートからの散乱が大きく、電源オフ時に拡散シートで外光が散乱することにより、外光の映りこみを実用上十分に防ぐことができない点で問題がある。
【０００８】
【特許文献１】特開昭６３−２６７０７３号公報
【特許文献２】特開平５−２６５０９４号公報
【特許文献３】実開平２−８３５２４号公報
【発明の開示】
【発明が解決しようとする課題】
【０００９】
本発明は、外光の映りこみを実用上十分に防ぐことができる透過型スクリーンの提供を目的とする。
【課題を解決するための手段】
【００１０】
本発明は、基板の一方の面には拡散部材が形成されてなり、基板の他方の面には位相差板、偏光分離板および偏光板が基板側からこの順に形成されてなることを特徴とする透過型スクリーン、前記偏光分離板および前記偏光板は、光源からの光の偏光面から９０度回転した偏光面を有する光を透過するように構成されている前記透過型スクリーン、前記偏光分離板および前記偏光板は、光源からの光の偏光面から９０度回転した偏光面を有する光を透過するように構成されている前記透過型スクリーン、前記透過型スクリーンを有する背面投射型プロジェクションテレビを提供する。
【発明の効果】
【００１１】
本発明の構成のような透過型スクリーンを用いることにより、外光の映りこみを実用上十分に防ぐことが可能となる。また、単に偏光板を取り付けた場合よりも光源光をより多く透過させることができ、結果的に画面の輝度を向上させることができる。また、その結果、コントラストの向上も期待できる。
【発明を実施するための最良の形態】
【００１２】
以下、本発明の透過型スクリーンの構成について詳説する。図１は、本発明の透過型スクリーンの一態様を示す概略横断面図である。本発明の透過型スクリーン１０は、基板５の背面側に拡散部材４を有し、拡散部材４の背面側にはレンチキュラーレンズシート２を有する。また、ブラックストライプ３がレンチキュラーレンズシート２の前面側にストライプ状に形成されている。また、レンチキュラーレンズシート２の背面側には、フレネルレンズシート１が設けられている。一方、基板５の前面側には、位相差板６、偏光分離板７および偏光板８が基板側からこの順に設けられている。なお、「前面」とは透過型スクリーンにおいて観察者側の面のことを意味し、「背面」とは透過型スクリーンにおいて観察者側と反対側の面（プロジェクタ側の面）を意味する。上記のような構成とすることで、外光の映りこみを実用上十分に防ぐことができる。また、光源光をより多く透過させることができ、結果的に画面の輝度を向上させることができる。
【００１３】
図１のような構成を有する透過型スクリーンにおいて、光源光が透過型スクリーンに入射した後、光の偏光面および輝度がどのように変わっていくかを、図２を用いて説明する。図２は、本発明の透過型スクリーンに光源光が入射したときの光の位相の変化を示す概略図である。図２は、図１の透過型スクリーンの構成から、レンチキュラーレンズシート２およびフレネルレンズシート１を説明の便宜上取り除き、拡散部材４、基板５、位相差板６、偏光分離板７および偏光板８の各部材をそれぞれ独立に分離して示している。また、図２において、実線の矢印の方向は光の偏光面を表しており、垂直方向の矢印はｓ偏光の光を意味し、斜め方向の矢印はｐ偏光の光を意味する。また、垂直方向の矢印と斜め方向の矢印が重なったものは楕円偏光の光を意味する。実線の矢印の長さは、光の輝度をおおまかに表しており、長い矢印は、輝度が大きいことを示している。また、点線の矢印は、光の透過方向または反射方向を示している。
【００１４】
図２において、ｓ偏光である光源光（図２における（ａ）に相当）は、まず最初にフレネルレンズシート（図示しない）、次いでレンチキュラーレンズシート（図示しない）に入射する。通常、フレネルレンズシートおよびレンチキュラーレンズシートの材質は透明な樹脂であるため、これらの部材を透過しても、光の偏光面は変化しない。次いで、光源光は拡散部材４に入射する。拡散部材４を透過した光は、拡散部材４の作用により、大部分はｓ偏光の光であるが、ｐ偏光の光も一部含む楕円偏光の光となる（ｂ）。その後、拡散部材４を透過した光が基板５を透過しても、基板５の材質は一般に透明なガラスや樹脂であるため、光の偏光面には変化は生じない（ｃ）。次いで、基板５を透過した光が位相差板６に入射すると、位相差板６は偏光面を９０度回転させる性質を有するため、大部分がｐ偏光の光となるが、一部はｓ偏光の光も含む楕円偏光、すなわち（ｂ）の楕円偏光とは異なる楕円偏光に変化する（ｄ）。なお、ｐ偏光とは、光の振動の方向が入射面に対して水平方向である偏光を意味し、ｓ偏光とは、光の振動の方向が入射面に対して鉛直方向である偏光を意味する。また、すべての直線偏光は、ｐ偏光とｓ偏光との合成で表すことができる。
【００１５】
次に、位相差板６を透過した光は、偏光分離板７に入射する。偏光分離板７は、一方の偏光の光を反射し、他方の偏光の光を透過する性質を有している。よって、偏光分離板７がｐ偏光の光を透過し、ｓ偏光の光を反射するように設置しておくと、偏光分離板７に入射した光は、ｐ偏光の光が透過し（ｅ）、ｓ偏光の光が反射することになる（ｇ）。続いて、偏光分離板７を透過した光は、偏光板８に入射する。偏光板８は、ある一定の角度の偏光の光のみを透過する性質を有する。よって、偏光板８がｐ偏光の光のみを透過するように設置しておけば、ｐ偏光の光のみが透過し（ｆ）、観察者に到達することとなる。以上、偏光分離板７および偏光板８は、透過する光の偏光の角度が同じとなるように設置することで光源光の透過性が確保される。
【００１６】
一方、偏光分離板７を反射したｓ偏光の光は、位相差板６に前面側から入射する。位相差板６の作用により、入射した光はｐ偏光の光へと偏光され（ｈ）、基板５および拡散部材４に入射する。基板５および拡散部材４に入射した光は、一部の光は透過するものの、一部の光は基板５の表面、拡散部材４の表面、または拡散部材４中に粒子が混入されている場合はその粒子の表面などで反射され、再び位相差板６に入射する（ｉ）。位相差板６に入射する光は、上述したような拡散部材４表面の反射等により、ｓ偏光の成分が発生し、楕円偏光の光になっている（ｉ）。この楕円偏光の光は、偏光分離板７に入射し、ｐ偏光の光が透過し（ｋ）、ｓ偏光の光が反射する。透過したｐ偏光の光は、その後偏光板８に入射し、ｐ偏光のまた透過し（ｍ）、観察者に到達する。よって、観察者に到達する光は、（ｆ）の光と（ｍ）の光との合計の輝度を有する光となる。一方、ｓ偏光の光は再び位相差板６に入射することとなる。このように、拡散部材４、基板５、位相差板６および偏光分離板７の間で光が反射および透過を繰り返すため、この繰り返しの効果により単に偏光板を貼り付けた場合よりも１．３〜１．６倍程度、光の輝度は向上する。
【００１７】
なお、光源光がｓ偏光の光である場合について説明したが、光源光がｐ偏光や楕円偏光の光である場合であっても同様に光の透過率は向上する。この場合は、偏光分離板７および偏光板８が透過する光の偏光面が同じとなるように構成され、かつ光源光の偏光面から９０度回転した偏光面を有する光を透過するように構成されていればよい。このように構成することで、拡散部材４、基板５、位相差板６および偏光分離板７の間で光が反射および透過を繰り返すため、この繰り返しの効果により偏光板を単独で貼り付けた場合よりも１．３〜１．６倍程度、光の輝度は向上する。
【００１８】
これに対して、観察者が透過型スクリーンを見る場合、通常は蛍光灯などの外光が存在している。この場合には、外光によるスクリーンからの反射光が視界の妨げとなるため、スクリーン上における外光の輝度をできるだけ減少させることが好ましい。外光は、一般的には太陽光や蛍光灯の光であり、無偏光の光であり、ｐ偏光の光とｓ偏光の光とが混在している。
【００１９】
図１のような構成を有する透過型スクリーンにおいて、外光の偏光状態が本発明の透過型スクリーンを透過していくうちにどのように変わっていくかを、図２と同様の構成の透過型スクリーンを用いて、図３により説明する。図３は、本発明の透過型スクリーンに外光が入射したときの光の位相の変化を示す概略図であり、各部材の表現方式、矢印の方向や長さに関する説明などは図２と同様である。なお、無偏光の光は本来偏光面が存在しない光であるが、便宜上、図３に示す外光のように、３方の矢印が重なったもので示している。
【００２０】
まず、外光が偏光板８に入射すると（ｎ）、偏光板がｐ偏光の光のみを透過するように設置することで、ｐ偏光の光のみが透過し（ｐ）、その他の偏光面を有する光が吸収される。透過したｐ偏光の光は、偏光分離板７に入射するが、偏光分離板７がｐ偏光の光を透過し、ｓ偏光の光を反射するように設置しておくと、ｐ偏光の偏光面には変化はなく、そのまま偏光分離板７を透過し、位相差板６に入射する（ｑ）。位相差板６に入射した光は、ｓ偏光の光へと偏光面が回転し（ｒ）、基板５および拡散部材４に入射する。基板５および拡散部材４に入射した光は、一部の光は透過するものの、一部の光は基板５の表面、拡散部材４の表面、または拡散部材４中に粒子が混入されている場合はその粒子の表面などで反射され、再び位相差板６に入射する。この光は、基板５の表面や拡散部材４の表面での反射により、ｐ偏光成分を含んだ楕円偏光の光となっている（ｓ）。この楕円偏光の光は、位相差板６の作用により偏光面は回転するが、結局楕円偏光のまま透過し（ｔ）、偏光分離板７の作用によりｐ偏光の光のみが透過し（ｕ）、ｓ偏光の光は反射される（ｗ）。ｐ偏光の光は、ｐ偏光の光のまま偏光板８を透過し（ｖ）、透過したｐ偏光の光が観察者の目に届くことになる。一方、偏光分離板７の作用により反射されたｓ偏光の光は再び位相差板６を透過し（ｘ）、基板５および拡散部材４により一部反射されることとなる（ｙ）。このような反射と透過による減衰を繰り返すことによって、偏光板を単独で貼り付けた場合よりも外光の反射率は減少し、映りこみを防止できる。
【００２１】
なお、偏光板がｐ偏光の光のみを透過するように構成され、偏光分離板７がｐ偏光の光のみを透過し、ｓ偏光の光は反射されるように構成されている場合について説明したが、外光が無偏光の光であることを考慮すれば、偏光分離板７および偏光板８は、透過する偏光の角度を同じとなるように構成することにより、単に偏光板を貼り付けた場合よりも外光の反射率は減少し、映りこみを防止できる。
【００２２】
以上述べたとおり、本発明の透過型スクリーンを用いることにより、外光の映りこみを実用上十分に防ぐことできる。また、プロジェクタからの光を十分に透過させることができ、結果的に画面の輝度を向上させることが可能となる。また、その結果、コントラストの向上も期待できる。なお、コントラストには、（白表示時輝度＋外光反射輝度）／（黒表示時輝度＋外光反射輝度）で表される「明室コントラスト」と、（白表示輝度）／（黒表示輝度）で表される「暗室コントラスト」とが存在するが、通常は明室で使用することを考慮し、以後、コントラストとは「明室コントラスト」を意味する。ここで「白表示時輝度」とは、蛍光灯等の外光が存在しない場合であって、白色光を光源として用いた場合の観察者側から見た場合の輝度を意味し、「黒表示時輝度」とは、蛍光灯等の外光が存在しない場合であって、黒色光を光源として用いた場合の観察者側から見たときの輝度を意味する。また、「外光反射輝度」とは、蛍光灯等の外光が存在する場合、光源からの光が照射していない状態で、観察者側から見たときの輝度を意味する。
以下、各部材について詳細に説明する。
【００２３】
＜基板＞
本発明における基板としては、プラスチック基板やガラス基板が例示される。プラスチック基板としては、アクリル系樹脂、スチレン樹脂、ポリカーボネート、塩化ビニル樹脂等の透明または半透明の熱可塑性樹脂が使用できる。この中でも、表面耐擦傷性、耐候性、透明性等の点から、アクリル系樹脂が望ましい。また、強度の点ではガラス基板であることが好ましい。
【００２４】
ガラス基板の材質は、特に限定されないが、ソーダライムガラスを基本組成としたガラスが、コストの点で好ましい。ガラス中の鉄分を通常より減らした高光透過ガラスや、光吸収剤を添加した着色ガラスも、その光学設計に応じて使用できる。ガラス基板は高い剛性を有するので、該ガラス基板上に拡散部材を密着して接着でき、高剛性の透過型スクリーンとすることができる。該透過型スクリーンに、さらに、レンチキュラーレンズシートおよびフレネルレンズシートを密着して積層し、高剛性の一体型透過型スクリーンとすることもできる。また、高剛性とすることにより、テレビの筐体への取り付けも容易になる。また、プラスチック基板のように、気圧の変化や外部からの衝撃等により、反りが発生するという問題が生じにくく、またレンチキュラーレンズシートとフレネルレンズシートが擦れて、レンズが削られるという問題が発生しにくい。
【００２５】
ガラス基板として強化ガラスを用いると、スクリーンの強度を向上し、破損しにくいスクリーンを提供できる点で好ましい。また、ガラス基板として、曲面を形成したガラス基板も使用できる。ガラス自体の剛性が高いので、曲面をそのまま維持したスクリーンも提供できる。
【００２６】
本発明における基板は、可視光透過率が６５〜９５％であることが好ましい。可視光透過率がこの範囲になるように、用途に応じた基板の厚さを採用でき、多様な要求特性に応じて基板の厚さを調整する。可視光透過率が６５％未満では、映像が暗くなりすぎ、９５％超ではコストが高くなる。なお、本明細書において可視光透過率の測定は、ＪＩＳ  Ｒ３１０６（１９９８年）に準拠して行う。
【００２７】
本発明におけるガラス基板の厚さは、可視光透過率および強度の点で５〜６ｍｍが好ましい。これらの特性がより優れる点で、ガラス基板の厚さは、２〜５ｍｍがより好ましく、２．５〜４ｍｍが特に好ましい。また、本発明におけるプラスチック基板の厚さは１．５〜３．５ｍｍであることが好ましい。
【００２８】
また、大面積の基板の場合には、ガラス基板はプラスチック基板と比較して平坦性が高いので、基板上に形成した偏光分離板に光が正しい角度で入射するため、本発明の効果がより大きく発揮されるため好ましい。
【００２９】
＜拡散部材＞
本発明における拡散部材は、拡散剤を含むコーティングからなっていてもよく、拡散剤を樹脂中に含む樹脂フィルムからなっていてもよい。ここで、拡散剤を含むコーティングとは、例えば有機粒子としての拡散剤が分散された有機化合物溶液を塗布し加熱して形成される膜、無機粒子としての拡散剤が分散された有機化合物溶液を塗布し加熱して形成される膜、無機粒子としての拡散剤が分散された無機化合物溶液を塗布し加熱して形成される膜、および無機粒子としての拡散剤が分散された無機反応液に浸漬してまたは無機反応液を塗布して、加熱しながら反応膜を成膜する方法（ゾルゲル法）により形成される膜を含む。また、拡散剤を樹脂中に含む樹脂フィルムからなる拡散部材が、ガラス基板の背面に接着剤等で密着して接着されていることにより、ガラス基板が外部からの衝撃を受けて割れた場合にガラス飛散防止フィルムとしても働く。また、本発明においては、透過型スクリーンの明るさの必要性から、拡散部材の可視光透過率が高いことが好ましい。なお、拡散部材の厚さは、可視光透過率の点で薄い方が好ましいが、本発明の課題を解決するためには、厚さは特に限定されない。
【００３０】
＜位相差板＞
位相差板は、偏光面を９０度回転させる作用を有する板であれば特に限定されず、例えばＴＮ（ツイステッド−ネマチック）液晶素子等が例示される。なお、現在の光源に用いられている光の大半が直線偏光であることから、２分の１波長板を用いることが多い。しかし、光源光の偏光状態によっては、別の偏光素子（偏光板、波長板等）を別個に用いてもよい。例えば、光源光が円偏光状態である場合、４分の１波長板を用いることが好ましい。また、本発明においては、透過型スクリーンの明るさの必要性から、位相差板の可視光透過率が高いことが好ましい。なお、位相差板の厚さは、可視光透過率の点で薄い方が好ましいが、本発明の課題を解決するためには、厚さは特に限定されない。２分の１波長板としては、住友化学社製：商品名スミカライトが例示される。
【００３１】
＜偏光分離板＞
偏光分離板は、ある一定の角度の偏光の光を反射し、他の一定の角度の偏光の光を透過する性質を備えていれば特に限定されず、例えば、無偏光の光を入射すると２つの互いに直交する直線偏光に、入射光線方向に対してほぼ対称な角度で分離できるウォラストンプリズム、方解石製の偏光プリズムで、無偏光の光を入射すると直線偏光が得られるグランレーザープリズム、２つの互いに偏光面が直交する直線偏光に空間的に９０度で分離できる偏光ビームスプリッタ、２つの互いに偏光面が直交する直線偏光に空間的に１８０度で分離できる偏光ビームスプリッタ等が例示される。また、本発明においては、透過型スクリーンの明るさの必要性から、偏光分離板の可視光透過率が高いことが好ましい。なお、偏光分離板の厚さは、可視光透過率の点で薄い方が好ましいが、本発明の課題を解決するためには、厚さは特に限定されない。偏光分離板としては、２つの互いに偏光面が直交する直線偏光に空間的に１８０度で分離できる偏光ビームスプリッタとして、住友スリーエム社製：商品名ＤＢＥＦが例示される。
【００３２】
＜偏光板＞
偏光板としては、ある特定の偏光面を有する光のみを透過するものであれば特に限定されず、吸収型偏光子（ある方位の電場を吸収し、それに垂直な方位の電場を透過することにより直線偏光を作り出すもの）や、方解石などの複屈折性の結晶を利用したものや、反射式偏光子（反射面に対し角度を持って反射した光が部分的に偏光することを利用し、多段階の反射を用いて直線偏光を作り出すもの）等が例示される。なお、偏光板の厚さは、可視光透過率の点で薄い方が好ましいが、本発明の課題を解決するためには、厚さは特に限定されない。偏光板としては、吸収型偏光子として、日東電工社製：商品名ＮＰＦ１２０５ＤＵが例示される。
【００３３】
本発明においては、透過型スクリーンの明るさの必要性から、偏光板の可視光透過率が高いことが好ましい。また、偏光板の偏光度が大きいものが好ましく、偏光度は９０％以上が好ましく、９８％以上がより好ましい。ここで偏光度とは、偏光板に、直線偏光を入射し、偏光板を回転させていったとき、ある方向で最大の透過率ＩＡ、それと垂直な方向で最小の透過率ＩＢとした場合、（ＩＡ−ＩＢ）／（ＩＡ＋ＩＢ）で表される量である。
【００３４】
＜レンチキュラーレンズシート＞
本発明におけるレンチキュラーレンズシートの形状は、光源光を十分に拡散できる構造を有していれば特に限定されない。
【００３５】
＜フレネルレンズシート＞
本発明において用いられるフレネルレンズシートは、その形状は特に限定されず、従来より知られているような断面が山形形状をした複数の同心円状のレンズから構成されるシートが使用できる。
【実施例】
【００３６】
以下に実施例を示すが、これに限定されるものではない。
例１（実施例）
ガラス基板の一方の面に拡散部材として拡散シート（恵和社製：商品名ＢＳ−３００）を貼付し、他方の面に位相差板として２分の１波長板（住友化学社製：商品名スミカライト）、偏光分離板（住友スリーエム社製：商品名ＤＢＥＦ）、偏光板（日東電工社製：商品名ＮＰＦ１２０５ＤＵ、偏光度９９％）をこの順に積層して透過型スクリーンを得る。なお、偏光分離板および偏光板は、透過した光の偏光面が同じになるように構成されており、光源光の偏光面から９０度回転した偏光面を有する光を透過するように構成されている。
【００３７】
上記透過型スクリーンを３．５ｍ×３．５ｍ×２ｍの閉空間に設置し、以下に示す方法で輝度値を測定し、光源光透過率、外光反射率およびコントラストを計算する。光源光透過率８３．９４％、外光反射率３．７％、コントラスト１５０：１である。
【００３８】
（１）測定条件
外光：外光として、市販の電球（東輝社製：ＧＷ１１０Ｖ３８ＷＧ９５Ｋ  ｔｏｋｉ）を用いて、スクリーン面に対して垂直に１ｍ離れた観察者の２ｍ上方から一定の輝度で光を照射する。
【００３９】
光源光：光源光として、プロジェクタ（日立製作所製：ＰＪ−ＴＸ１０Ｊ）を用いて、スクリーン面に対して垂直に観察者と反対側に１ｍ離れた位置から、一定の輝度でｓ偏光の光を照射する。
【００４０】
（２）輝度値測定
スクリーン中心から偏光板側（観察者側）にスクリーン面に対して垂直に１ｍ離れた位置に分光輝度計（コニカミノルタ社製：ＣＳ−１０００Ａ）を設置し、その輝度計により透過光の輝度値を測定する。プロジェクタはパソコンに接続されていて、パソコンの画面を投射表示するように構成されている。パソコン上で全面白、全面黒を表示させることで、それぞれ白色光、黒色光を照射することができる。
【００４１】
（３）光源光透過率
まず、外光および光源光（白色光）を両方とも照射した状態で輝度値（Ｉ１）を測定する。次に、プロジェクタと輝度計の間から透過型スクリーンを取り除いた以外は同じ条件で輝度値（Ｉ２）を測定する。Ｉ１／Ｉ２を光源光透過率として算出する。
【００４２】
（４）外光反射率
まず、外光は照射し、光源光（白色光）を照射しない状態で輝度値（Ｉ３）を測定する。次に、プロジェクタと輝度計の間から透過型スクリーンを取り除いた以外は同じ条件で輝度値（Ｉ４）を測定する。Ｉ３／Ｉ４を光源光透過率として算出する。外光反射率は実用上４％以内であることが好ましい。
【００４３】
（５）コントラスト
外光および光源光（黒色光）を両方とも照射した状態で輝度値（Ｉ５）を測定する。Ｉ１／Ｉ５をコントラストとして算出する。なお、上式より得られたコントラスト値を用いて、通常「（コントラスト値）：１」のような表記をする。コントラストは実用上１２０：１の比率以上であることが好ましい。
【００４４】
例２（比較例）
例１における透過型スクリーンの代わりに、例１で用いる拡散シート単体に対して例１と同様の測定をする。光源光透過率８８．５３％、外光反射率１１．５３％、コントラスト７５：１である。
【００４５】
例３（比較例）
例１における透過型スクリーンの代わりに、例１で用いる拡散シートをガラス基板の背面側に貼り付け、前面側に偏光板を貼り付けてなるものに対して例１と同様の測定をする。光源光透過率６４．０９％、外光反射率４．５％、コントラスト１００：１である。
【００４６】
例１で得られる透過型スクリーンの拡散部材側にレンチキュラーレンズシートおよびフレネルレンズシートを形成してなる透過型スクリーンは、背面投射型プロジェクションテレビに有用であることが確認される。
【産業上の利用可能性】
【００４７】
本発明の透過型スクリーンは、画面のコントラストを向上させることができ、背面投射型プロジェクションテレビに特に有用である。
【図面の簡単な説明】
【００４８】
【図１】本発明の透過型スクリーンの一態様を示す概略断面図である。
【図２】本発明の透過型スクリーンに光源光が入射したときの光の位相の変化を示す概略図である。
【図３】本発明の透過型スクリーンに外光が入射したときの光の位相の変化を示す概略図である。
【符号の説明】
【００４９】
１：フレネルレンズシート
２：レンチキュラーレンズシート
３：ブラックストライプ
４：拡散部材
５：基板
６：位相差板
７：偏光分離板
８：偏光板
１０：透過型スクリーン
【図１】
2006162838.tif 000003
【図２】
2006162838.tif 000004
【図３】
2006162838.tif 000005